【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて通信インターフェースを開始するための方法であって、
アクセスポイントにおいてネイバーノードを発見することと、
前記ネイバーノードを発見したことに基づいて、前記通信インターフェースの構成のための、前記ネイバーノードに関連する、アドレス指示を含むネットワークメッセージを受信することと、
前記アドレス指示に基づいて、かつ、直接通信インターフェースのサポート、間接通信インターフェースのサポート、運用・管理・保守（ＯＡＭ）構成、物理セル識別子（ＰＣＩ）または限定加入者グループ（ＣＳＧ）識別情報を含む前記ネイバーノードの識別情報のうちの少なくとも１つに基づいて、前記ネイバーノードとの通信のために前記直接通信インターフェースまたは前記間接通信インターフェースのうちのいずれを開始すべきかを決定することと
を備える方法。
【請求項２】
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、請求項１に記載の方法。
【請求項３】
前記直接通信インターフェースまたは前記間接通信インターフェースのうちのいずれを開始すべきかを決定することが、
前記ネイバーノードが前記間接通信インターフェースをサポートしないことを前記アドレス指示が示すときに、前記直接通信インターフェースを開始することを決定すること
を備える、請求項１に記載の方法。
【請求項４】
前記直接通信インターフェースまたは前記間接通信インターフェースのうちのいずれを開始すべきかを決定することが、前記アクセスポイントの構成に基づく、請求項１に記載の方法。
【請求項５】
前記直接通信インターフェースまたは前記間接通信インターフェースのうちのいずれを開始すべきかを決定することが、拡張セルグローバル識別子（ｅＣＧＩ）に基づく、請求項１に記載の方法。
【請求項６】
前記直接通信インターフェースまたは前記間接通信インターフェースのうちのいずれを開始すべきかを決定することに基づいて、前記直接通信インターフェースまたは前記間接通信インターフェースを開始すること
をさらに備える、請求項１に記載の方法。
【請求項７】
前記アクセスポイントにおいて前記ネイバーノードを発見した後に、前記ネイバーノードにトランスポートネットワークレイヤ（ＴＮＬ）アドレス要求を送ることによってＴＮＬアドレス発見を開始すること、ここにおいて、前記ネットワークメッセージを受信することが、前記ＴＮＬアドレス発見を開始したことに基づく、
をさらに備える、請求項１に記載の方法。
【請求項８】
前記ネットワークメッセージが、前記アドレス指示を備える自己組織化ネットワーク（ＳＯＮ）構成転送メッセージを備える、請求項１に記載の方法。
【請求項９】
ワイヤレス通信システムにおいて通信インターフェースを開始するための装置であって、
前記装置においてネイバーノードを発見するための手段と、
前記ネイバーノードを発見したことに基づいて、前記通信インターフェースの構成のための、前記ネイバーノードに関連する、アドレス指示を含むネットワークメッセージを受信するための手段と、
前記アドレス指示に基づいて、かつ、直接通信インターフェースのサポート、間接通信インターフェースのサポート、運用・管理・保守（ＯＡＭ）構成、物理セル識別子（ＰＣＩ）または限定加入者グループ（ＣＳＧ）識別情報を含む前記ネイバーノードの識別情報のうちの少なくとも１つに基づいて、前記ネイバーノードとの通信のために前記直接通信インターフェースまたは前記間接通信インターフェースのうちのいずれを開始すべきかを決定するための手段と
を備える装置。
【請求項１０】
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、請求項９に記載の装置。
【請求項１１】
前記直接通信インターフェースまたは前記間接通信インターフェースのうちのいずれを開始すべきかを決定するための前記手段が、
前記ネイバーノードが前記間接通信インターフェースをサポートしないことを前記アドレス指示が示すときに、前記直接通信インターフェースを開始することを決定するための手段
を備える、請求項９に記載の装置。
【請求項１２】
前記直接通信インターフェースまたは前記間接通信インターフェースのうちのいずれを開始すべきかを決定するための前記手段が、
前記直接通信インターフェースまたは前記間接通信インターフェースのうちのいずれを開始すべきかを決定するための手段が、前記アドレス指示および前記ネイバーノードのＸ２ゲートウェイ（Ｘ２−ＧＷ）に関連するアドレスまたは値に基づく
を備える、請求項９に記載の装置。
【請求項１３】
前記直接通信インターフェースまたは前記間接通信インターフェースのうちのいずれを開始すべきかを決定するための前記手段が、
前記直接通信インターフェースまたは前記間接通信インターフェースのうちのいずれを開始すべきかを決定するための手段が、拡張セルグローバル識別子（ｅＣＧＩ）に基づく、
を備える、請求項９に記載の装置。
【請求項１４】
前記直接通信インターフェースまたは前記間接通信インターフェースのうちのいずれを開始すべきかを決定することに基づいて、前記直接通信インターフェースまたは前記間接通信インターフェースを開始するための手段
をさらに備える、請求項９に記載の装置。
【請求項１５】
前記装置において前記ネイバーノードを発見した後に、前記ネイバーノードにトランスポートネットワークレイヤ（ＴＮＬ）アドレス要求を送ることによってＴＮＬアドレス発見を開始するための手段、ここにおいて、前記ネットワークメッセージは、前記ＴＮＬアドレス発見を開始したことに基づいて、受信される、
をさらに備える、請求項９に記載の装置。
【請求項１６】
前記ネットワークメッセージが、前記アドレス指示を備える自己組織化ネットワーク（ＳＯＮ）構成転送メッセージを備える、請求項９に記載の装置。
【請求項１７】
ワイヤレス通信システムにおいて通信インターフェースを開始するための装置であって、
前記装置においてネイバーノードを発見することを行うように構成された少なくとも１つのプロセッサと、
前記ネイバーノードを発見したことに基づいて、前記通信インターフェースの構成のための、前記ネイバーノードに関連する、アドレス指示を含むネットワークメッセージを受信することを行うように構成された少なくとも１つのトランシーバと、
ここにおいて、前記少なくとも１つのプロセッサが、
前記アドレス指示に基づいて、かつ、直接通信インターフェースのサポート、間接通信インターフェースのサポート、運用・管理・保守（ＯＡＭ）構成、物理セル識別子（ＰＣＩ）または限定加入者グループ（ＣＳＧ）識別情報を含む前記ネイバーノードの識別情報のうちの少なくとも１つに基づいて、前記ネイバーノードとの通信のために前記直接通信インターフェースまたは前記間接通信インターフェースのうちのいずれを開始すべきかを決定すること
を行うようにさらに構成され、
前記少なくとも１つのプロセッサに結合されたメモリと
を備える装置。
【請求項１８】
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、請求項１７に記載の装置。
【請求項１９】
前記少なくとも１つのプロセッサが、前記直接通信インターフェースまたは前記間接通信インターフェースのうちのいずれを開始すべきかを決定するときに、
前記ネイバーノードが前記間接通信インターフェースをサポートしないことを前記アドレス指示が示すときに、前記直接通信インターフェースを開始することを決定すること
を行うように構成された、請求項１７に記載の装置。
【請求項２０】
前記少なくとも１つのプロセッサが、前記直接通信インターフェースまたは前記間接通信インターフェースのうちのいずれを開始すべきかを決定するときに、
前記アドレス指示および前記ネイバーノードのＸ２ゲートウェイ（Ｘ２−ＧＷ）に関連するアドレスまたは値に基づいて、前記直接通信インターフェースまたは前記間接通信インターフェースのうちのいずれを開始すべきかを決定すること
を行うように構成された、請求項１７に記載の装置。
【請求項２１】
前記少なくとも１つのプロセッサが、前記直接通信インターフェースまたは前記間接通信インターフェースのうちのいずれを開始すべきかを決定するときに、
拡張セルグローバル識別子（ｅＣＧＩ）に基づいて、前記直接通信インターフェースまたは前記間接通信インターフェースのうちのいずれを開始すべきかを決定すること
を行うように構成された、請求項１７に記載の装置。
【請求項２２】
前記少なくとも１つのプロセッサが、
前記直接通信インターフェースまたは前記間接通信インターフェースのうちのいずれを開始すべきかを決定することに基づいて、前記直接通信インターフェースまたは前記間接通信インターフェースを開始すること
を行うようにさらに構成された、請求項１７に記載の装置。
【請求項２３】
前記少なくとも１つのプロセッサが、
前記装置において前記ネイバーノードを発見した後に、前記ネイバーノードにトランスポートネットワークレイヤ（ＴＮＬ）アドレス要求を送ることによってＴＮＬアドレス発見を開始すること
を行うようにさらに構成され、
ここにおいて、前記ネットワークメッセージは、前記ＴＮＬアドレス発見を開始したことに基づいて、受信される、
請求項１７に記載の装置。
【請求項２４】
前記ネットワークメッセージが、前記アドレス指示を備える自己組織化ネットワーク（ＳＯＮ）構成転送メッセージを備える、請求項１７に記載の装置。
【請求項２５】
命令を記憶した非一時的コンピュータ可読媒体であって、前記命令は、
少なくとも１つのコンピュータによって実行されると、前記少なくとも１つのコンピュータに、
アクセスポイントにおいてネイバーノードを発見することと、
前記ネイバーノードを発見したことに基づいて、通信インターフェースの構成のための、前記ネイバーノードに関連する、アドレス指示を含むネットワークメッセージを受信することと、
前記アドレス指示に基づいて、かつ、直接通信インターフェースのサポート、間接通信インターフェースのサポート、運用・管理・保守（ＯＡＭ）構成、物理セル識別子（ＰＣＩ）または限定加入者グループ（ＣＳＧ）識別情報を含む前記ネイバーノードの識別情報のうちの少なくとも１つに基づいて、前記ネイバーノードとの通信のために前記直接通信インターフェースまたは前記間接通信インターフェースのうちのいずれを開始すべきかを決定することと
を行わせるための１つまたは複数の命令
を備える、非一時的コンピュータ可読媒体。
【請求項２６】
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、請求項２５に記載の非一時的コンピュータ可読媒体。
【請求項２７】
前記直接通信インターフェースまたは前記間接通信インターフェースのうちのいずれを開始すべきかを決定するための前記１つまたは複数の命令が、
前記少なくとも１つのコンピュータによって実行されると、前記少なくとも１つのコンピュータに、
前記ネイバーノードが前記間接通信インターフェースをサポートしないことを前記アドレス指示が示すときに、前記直接通信インターフェースを開始することを決定すること
を行わせるための１つまたは複数の命令
を備える、請求項２５に記載の非一時的コンピュータ可読媒体。
【請求項２８】
前記直接通信インターフェースまたは前記間接通信インターフェースのうちのいずれを開始すべきかを決定するための前記１つまたは複数の命令が、
前記少なくとも１つのコンピュータによって実行されると、前記少なくとも１つのコンピュータに、
前記アクセスポイントの構成に基づいて、前記直接通信インターフェースまたは前記間接通信インターフェースのうちのいずれを開始すべきかを決定すること
を行わせるための１つまたは複数の命令
を備える、請求項２５に記載の非一時的コンピュータ可読媒体。
【請求項２９】
前記直接通信インターフェースまたは前記間接通信インターフェースのうちのいずれを開始すべきかを決定するための前記１つまたは複数の命令が、
前記少なくとも１つのコンピュータによって実行されると、前記少なくとも１つのコンピュータに、
拡張セルグローバル識別子（ｅＣＧＩ）に基づいて、前記直接通信インターフェースまたは前記間接通信インターフェースのうちのいずれを開始すべきかを決定すること
を行わせるための１つまたは複数の命令
を備える、請求項２５に記載の非一時的コンピュータ可読媒体。
【請求項３０】
前記命令が、
前記少なくとも１つのコンピュータによって実行されると、前記少なくとも１つのコンピュータに、
前記アクセスポイントにおいて前記ネイバーノードを発見した後に、前記ネイバーノードにトランスポートネットワークレイヤ（ＴＮＬ）アドレス要求を送ることによってＴＮＬアドレス発見を開始すること
を行わせるための１つまたは複数の命令
をさらに備え、
ここにおいて、前記ネットワークメッセージが、前記ＴＮＬアドレス発見を開始したことに基づいて受信され、
ここにおいて、前記ネットワークメッセージが、前記アドレス指示を備える自己組織化ネットワーク（ＳＯＮ）構成転送メッセージを備える、
請求項２５に記載の非一時的コンピュータ可読媒体。
【手続補正２】
【補正対象書類名】明細書
【補正対象項目名】００６８
【補正方法】変更
【補正の内容】
【００６８】
[0077]  本開示についての以上の説明は、いかなる当業者でも本開示を作製または使用することができるように提供されたものである。本開示に対する様々な修正は当業者には容易に明らかとなり、本明細書で定義される一般原理は、本開示の精神または範囲から逸脱することなく他の変形形態に適用され得る。したがって、本開示は、本明細書に示される例および設計に限定されることを意図せず、本明細書で開示される原理および新規な特徴と一致する最も広い範囲が与えられるべきである。
以下に本願の出願当初の特許請求の範囲に記載された発明を付記する。
［Ｃ１］
ワイヤレス通信システムにおいて通信インターフェースを開始するための方法であって、
アクセスポイントにおいてネイバーノードを発見することと、
前記ネイバーノードを発見したことに応答してネットワークメッセージを介して、前記通信インターフェースの構成のための前記ネイバーノードに関連するアドレス指示を受信することと、
前記受信されたネットワークメッセージ中の前記アドレス指示に基づいて前記ネイバーノードとの通信のために直接通信インターフェースまたは間接通信インターフェースのうちのいずれを開始すべきかを決定することと
を備える方法。
［Ｃ２］
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、Ｃ１に記載の方法。
［Ｃ３］
前記ネイバーノードが前記間接通信インターフェースをサポートしないことを示す前記受信されたネットワークメッセージ中の前記アドレス指示に応答して前記直接通信インターフェースを開始すること
をさらに備える、Ｃ１に記載の方法。
［Ｃ４］
直接通信インターフェースまたは間接通信インターフェースのうちのいずれを開始すべきかを決定することが、前記アクセスポイントの構成と前記受信されたネットワークメッセージ中の前記ネイバーノードの前記Ｘ２−ＧＷに関連する特殊値またはアドレスを備える前記アドレス指示に基づいた前記間接通信インターフェースのサポートとに基づく、Ｃ１に記載の方法。
［Ｃ５］
前記直接通信インターフェースを使用すべきか、または前記間接通信インターフェースを使用すべきかを決定することが、前記直接通信インターフェースのサポート、前記間接通信インターフェースのサポート、運用・管理・保守（ＯＡＭ）構成、物理セル識別子（ＰＣＩ）、拡張セルグローバル識別子（ｅＣＧＩ）、または限定加入者グループ（ＣＳＧ）識別情報を含む前記ネイバーノードの識別情報のうちの少なくとも１つにさらに基づく、Ｃ１に記載の方法。
［Ｃ６］
決定することが、ターゲットからの前記アドレス指示にさらに基づき、前記方法が、
前記決定に基づいて前記直接または間接通信インターフェースを開始することをさらに備える、Ｃ５に記載の方法。
［Ｃ７］
前記アクセスポイントにおいて前記ネイバーノードを発見した後に、前記ネイバーノードにトランスポートネットワークレイヤ（ＴＮＬ）アドレス要求を送ることによってＴＮＬアドレス発見を開始すること、ここにおいて、前記ネットワークメッセージを前記受信することが、前記ＴＮＬアドレス発見を開始したことに応答する、
をさらに備える、Ｃ１に記載の方法。
［Ｃ８］
前記ネットワークメッセージが、前記ネイバーノードに関連する前記アドレス指示を備える自己組織化ネットワーク（ＳＯＮ）構成転送メッセージを備える、Ｃ１に記載の方法。
［Ｃ９］
ワイヤレス通信システムにおいて通信インターフェースを開始するための装置であって、
前記装置においてネイバーノードを発見するための手段と、
前記ネイバーノードを発見したことに応答してネットワークメッセージを介して、前記通信インターフェースの構成のための前記ネイバーノードに関連するアドレス指示を受信するための手段と、
前記受信されたネットワークメッセージ中の前記アドレス指示に基づいて前記ネイバーノードとの通信のために直接通信インターフェースまたは間接通信インターフェースのうちのいずれを開始すべきかを決定するための手段と
を備える装置。
［Ｃ１０］
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、Ｃ９に記載の装置。
［Ｃ１１］
前記ネイバーノードが前記間接通信インターフェースをサポートしないことを示す前記受信されたネットワークメッセージ中の前記アドレス指示に応答して前記直接通信インターフェースを開始するための手段
をさらに備える、Ｃ９に記載の装置。
［Ｃ１２］
直接通信インターフェースまたは間接通信インターフェースのうちのいずれを開始すべきかを決定することが、アクセスポイントの構成と前記受信されたネットワークメッセージ中の前記ネイバーノードの前記Ｘ２−ＧＷに関連するアドレスまたは特殊値を備える前記アドレス指示に基づいた前記間接通信インターフェースの前記フォーサポートとに基づく、Ｃ９に記載の装置。
［Ｃ１３］
前記直接通信インターフェースを使用すべきか、または前記間接通信インターフェースを使用すべきかを決定することが、前記直接通信インターフェースのサポート、前記間接通信インターフェースのサポート、運用・管理・保守（ＯＡＭ）構成、物理セル識別子（ＰＣＩ）、拡張セルグローバル識別子（ｅＣＧＩ）、または限定加入者グループ（ＣＳＧ）識別情報を含む前記ネイバーノードの識別情報のうちの少なくとも１つにさらに基づく、Ｃ９に記載の装置。
［Ｃ１４］
決定することが、ターゲットからの前記アドレス指示にさらに基づき、前記装置が、
前記決定に基づいて前記直接または間接通信インターフェースを開始するための手段をさらに備える、Ｃ１３に記載の装置。
［Ｃ１５］
前記装置において前記ネイバーノードを発見した後に、前記ネイバーノードにトランスポートネットワークレイヤ（ＴＮＬ）アドレス要求を送ることによってＴＮＬアドレス発見を開始するための手段、ここにおいて、前記ネットワークメッセージを前記受信することが、前記ＴＮＬアドレス発見を開始したことに応答する、
をさらに備える、Ｃ９に記載の装置。
［Ｃ１６］
前記ネットワークメッセージが、前記ネイバーノードに関連する前記アドレス指示を備える自己組織化ネットワーク（ＳＯＮ）構成転送メッセージを備える、Ｃ９に記載の装置。
［Ｃ１７］
ワイヤレス通信システムにおいて通信インターフェースを開始するための装置であって、
前記装置においてネイバーノードを発見すること
を行うように構成された少なくとも１つのプロセッサと、
前記ネイバーノードを発見したことに応答してネットワークメッセージを介して、前記通信インターフェースの構成のための前記ネイバーノードに関連するアドレス指示を受信することを行うように構成された少なくとも１つのトランシーバと、
ここにおいて、前記少なくとも１つのプロセッサが、
前記受信されたネットワークメッセージ中の前記アドレス指示に基づいて前記ネイバーノードとの通信のために直接通信インターフェースまたは間接通信インターフェースのうちのいずれを開始すべきかを決定すること
を行うようにさらに構成され、
前記少なくとも１つのプロセッサに結合された、データを記憶するためのメモリと
を備える装置。
［Ｃ１８］
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、Ｃ１７に記載の装置。
［Ｃ１９］
前記少なくとも１つのプロセッサが、
前記ネイバーノードが前記間接通信インターフェースをサポートしないことを示す前記受信されたネットワークメッセージ中の前記アドレス指示に応答して前記直接通信インターフェースを開始すること
を行うようにさらに構成された、Ｃ１７に記載の装置。
［Ｃ２０］
直接通信インターフェースまたは間接通信インターフェースのうちのいずれを開始すべきかを決定することが、アクセスポイントの構成と前記受信されたネットワークメッセージ中の前記ネイバーノードの前記Ｘ２−ＧＷに関連するアドレスまたは特殊値を備える前記アドレス指示に基づいた前記間接通信インターフェースの前記フォーサポートとに基づく、Ｃ１７に記載の装置。
［Ｃ２１］
前記直接通信インターフェースを使用すべきか、または前記間接通信インターフェースを使用すべきかを決定することが、前記直接通信インターフェースのサポート、前記間接通信インターフェースのサポート、運用・管理・保守（ＯＡＭ）構成、物理セル識別子（ＰＣＩ）、拡張セルグローバル識別子（ｅＣＧＩ）、または限定加入者グループ（ＣＳＧ）識別情報を含む前記ネイバーノードの識別情報のうちの少なくとも１つにさらに基づく、Ｃ１７に記載の装置。
［Ｃ２２］
決定することが、ターゲットからの前記アドレス指示にさらに基づき、前記少なくとも１つのプロセッサが、
前記決定に基づいて前記直接または間接通信インターフェースを開始することを行うようにさらに構成された、Ｃ２１に記載の装置。
［Ｃ２３］
前記少なくとも１つのプロセッサが、
前記装置において前記ネイバーノードを発見した後に、前記ネイバーノードにトランスポートネットワークレイヤ（ＴＮＬ）アドレス要求を送ることによってＴＮＬアドレス発見を開始すること、ここにおいて、前記ネットワークメッセージを前記受信することが、前記ＴＮＬアドレス発見を開始したことに応答する、
を行うようにさらに構成された、Ｃ１７に記載の装置。
［Ｃ２４］
前記ネットワークメッセージが、前記ネイバーノードに関連する前記アドレス指示を備える自己組織化ネットワーク（ＳＯＮ）構成転送メッセージを備える、Ｃ１７に記載の装置。
［Ｃ２５］
コンピュータプログラム製品であって、
少なくとも１つのコンピュータに、
アクセスポイントにおいてネイバーノードを発見することと、
前記ネイバーノードを発見したことに応答してネットワークメッセージを介して、通信インターフェースの構成のための前記ネイバーノードに関連するアドレス指示を受信することと、
前記受信されたネットワークメッセージ中の前記アドレス指示に基づいて前記ネイバーノードとの通信のために直接通信インターフェースまたは間接通信インターフェースのうちのいずれを開始すべきかを決定することと
を行わせるためのコードを記憶する非一時的コンピュータ可読媒体
を備えるコンピュータプログラム製品。
［Ｃ２６］
前記直接通信インターフェースが、Ｘ２インターフェースを備え、前記間接通信インターフェースが、プロキシとして働くＸ２ゲートウェイ（Ｘ２−ＧＷ）を介するＸ２インターフェースを備える、Ｃ２５に記載のコンピュータプログラム製品。
［Ｃ２７］
前記コンピュータ可読媒体が、前記少なくとも１つのコンピュータに、
前記ネイバーノードが前記間接通信インターフェースをサポートしないことを示す前記受信されたネットワークメッセージ中の前記アドレス指示に応答して前記直接通信インターフェースを開始すること
を行わせるためのコードをさらに記憶する、Ｃ２５に記載のコンピュータプログラム製品。
［Ｃ２８］
直接通信インターフェースまたは間接通信インターフェースのうちのいずれを開始すべきかを決定することが、前記アクセスポイントの構成と前記受信されたネットワークメッセージ中の前記ネイバーノードの前記Ｘ２−ＧＷに関連するアドレスまたは特殊値を備える前記アドレス指示に基づいた前記間接通信インターフェースの前記フォーサポートとに基づく、Ｃ２５に記載のコンピュータプログラム製品。
［Ｃ２９］
前記直接通信インターフェースを使用すべきか、または前記間接通信インターフェースを使用すべきかを決定することが、前記直接通信インターフェースのサポート、前記間接通信インターフェースのサポート、運用・管理・保守（ＯＡＭ）構成、物理セル識別子（ＰＣＩ）、拡張セルグローバル識別子（ｅＣＧＩ）、または限定加入者グループ（ＣＳＧ）識別情報を含む前記ネイバーノードの識別情報のうちの少なくとも１つにさらに基づく、
ここにおいて、決定することが、ターゲットからの前記アドレス指示にさらに基づく、
ここにおいて、前記コンピュータ可読媒体が、前記少なくとも１つのコンピュータに、前記決定に基づいて直接または間接通信インターフェースを開始することを行わせるためのコードをさらに記憶する、Ｃ２５に記載のコンピュータプログラム製品。
［Ｃ３０］
前記コンピュータ可読媒体が、前記少なくとも１つのコンピュータに、
前記アクセスポイントにおいて前記ネイバーノードを発見した後に、前記ネイバーノードにトランスポートネットワークレイヤ（ＴＮＬ）アドレス要求を送ることによってＴＮＬアドレス発見を開始すること、ここにおいて、前記ネットワークメッセージを前記受信することが、前記ＴＮＬアドレス発見を開始したことに応答すること、ここにおいて、前記ネットワークメッセージが、前記ネイバーノードに関連する前記アドレス指示を備える自己組織化ネットワーク（ＳＯＮ）構成転送メッセージを備える、
を行わせるためのコードをさらに記憶する、Ｃ２５に記載のコンピュータプログラム製品。